(57)【要約】      （修正有）【課題】コイルの円周方向巻線部にテープを巻回する構成の電動工具において、部品点数を増やすことなくコイルの冷却性能を効率的に向上させる。【解決手段】ハウジング３あるいはファンガイド７にテープ５に向かって突出する突出部７ａ、を設け、冷却効率が悪いテープ巻回部周辺のファン通路の面積を他の部分よりも小さくする。テープ巻回部周辺を流れるファン風が少なくなり、また他の部分を流れるファン風が多くなる。【選択図】図１
2005230931.tif 000002
【特許請求の範囲】
【請求項１】
空気を吸入するための空気吸入口と該空気を排出するための空気排出口が形成されたハウジングと、
該ハウジング内に収容固定され、一対の対向するコイル巻回部を備え、中空部が形成された固定子コアと、
前記コイル巻回部に巻回される一対のコイルと、
前記中空部であって、前記一対のコイルの間に回転可能に配置される回転子と、
前記ハウジング内に設けられ、前記空気吸入口から前記ハウジング内に空気を取入れ前記空気排出口に空気を吹出すファンとを備え、
前記コイルは、前記固定子コアの軸方向両端部から外方に突出すると共に前記回転子の円周方向に沿う略円弧状の一対の円周方向巻線部とを有し、
前記円周方向巻線部の少なくとも一部に巻回されたテープとを有する電動工具において、
前記テープに対向する前記ハウジング内壁部に前記テープに向かって突出する突出部を少なくとも１個設けたことを特徴とする電動工具。
【請求項２】
前記突出部の前記回転子の円周方向に沿う円周方向寸法は、前記テープの前記円周方向寸法よりも小さく形成されていることを特徴とする請求項１記載の電動工具。
【請求項３】
空気を吸入するための空気吸入口と該空気を排出するための空気排出口が形成されたハウジングと、
該ハウジング内に収容固定され、一対の対向するコイル巻回部を備え、中空部が形成された固定子コアと、
前記コイル巻回部に巻回される一対のコイルと、
前記中空部であって、前記一対のコイルの間に回転可能に配置される回転子と、
前記ハウジング内に設けられ、前記空気吸入口から前記ハウジング内に空気を取入れ前記空気排出口に空気を吹出す遠心ファンとを備え、
前記第１コイル及び前記第２コイルは、前記固定子コアの軸方向両端部から外方に突出すると共に前記回転子の円周方向に沿う略円弧状の一対の円周方向巻線部とを有し、
前記円周方向巻線部の少なくとも一部に巻回されたテープと、
前記ファンと前記円周方向巻線部との間に介在し、空気排出方向をガイドするファンガイドとを有する電動工具において、
前記テープに対向する前記ファンガイドの一部に前記テープに向かって突出する突出部を少なくとも１個設けたことを特徴とする電動工具。
【請求項４】
前記突出部は前記円周方向巻線部外周と前記ハウジング内壁部との間に介在する部分を有することを特徴とする請求項３記載の電動工具。
【請求項５】
前記突出部は前記円周方向巻線部の前記ファン側部分に近接する部分を有することを特徴とする請求項３あるいは請求項４記載の電動工具。
【請求項６】
前記突出部の前記回転子の円周方向に沿う円周方向寸法は、前記テープの前記円周方向寸法よりも小さく形成されていることを特徴とする請求項３〜請求項５のいずれか１項記載の電動工具。
【発明の詳細な説明】
【技術分野】
【０００１】
本発明は、コイルの円周方向巻線部の少なくとも１部に巻回されたテープを有する電動工具に関するものである。
【背景技術】
【０００２】
従来の電動工具の一例を図１５〜図２０を用いて説明する。なお、図１５は携帯用電気丸鋸、携帯用電気グラインダ等の電動工具のハウジングのモータを収容部分を表す要部拡大断面図、図１６は図１５のＡ−Ａ線断面図、図１７は図１５の要部断面平面図である。
【０００３】
図に示す電動工具は、空気を吸入するための空気吸入口３ａと空気を排出するための図示しない空気排出口が形成されたハウジング３と、ハウジング３内に収容固定され、一対の対向するコイル巻回部１ａを備え、中空部１ｂが形成された固定子コア１と、コイル巻回部１ａに巻回される一対のコイル４と、中空部１ｂであって、一対のコイル４の間に回転可能に配置される回転子２と、ハウジング３内に設けられ、空気吸入口３ａからハウジング３内に空気を取入れ空気排出口に空気を吹出すファン６と、ファン６とコイル４との間に介在し、空気排出方向をガイドするファンガイド７とを備え、前記コイル４が、固定子コア１の軸方向両端部から外方に突出すると共に回転子２の円周方向に沿う略円弧状の一対の円周方向巻線部４ａとを有する構成をしている。
【０００４】
コイル４の円周方向巻線部４ａには、振動や熱膨張による形状変形抑制のため、図１８に示すシート状で粘着性を持つテープ５が巻回されている。このテープ５は、図１９、図２０に示すように固定子コア１にコイル４がセットされた後にコイル４の円周方向巻線部４ａに巻回される場合や、固定子コア１にセットする前にコイル４の円周方向巻線部４ａに予め巻回される場合等がある。なお、コイル４の形状を強固に維持し、振動や熱膨張による形状変形を防止するために、固定子コア１にコイル４をセットした状態でコイル４全体にワニス処理を施す場合であっても、ワニス処理時に円周方向巻線部４ａにおけるコイル４の広がり等の変形を抑制する目的から円周方向巻線部４ａにはテープ５が巻回されている。
【発明の開示】
【発明が解決しようとする課題】
【０００５】
上記した構造の電動工具では、製品駆動時にはファン６の回転駆動によって発生するファン風によって固定子コア１、回転子２、コイル４等は冷却されるものであるが、上述のようにテープ５が巻回されたコイル４の円周方向巻線部４ａの巻回部分は、直接ファン風が当たらず冷却効率が悪い部分であった。従来の電動工具では、前記したテープ５による冷却効率の悪い部分が発生していることによって、コイルの冷却性能が低いものであった。
【０００６】
本発明の目的は、部品点数を増やさずにコイルの冷却性能を向上させることができる電動工具を提供することである。
【課題を解決するための手段】
【０００７】
上記目的は、ハウジングあるいはファンガイドにテープに向かって突出する突出部を設けることにより達成することができる。
【発明の効果】
【０００８】
本発明によれば、ハウジングあるいはファンガイドにテープに向かって突出する突出部を設けたことにより、冷却効率が悪い部分であるテープ巻回部周辺のファン通路（テープとハウジングとの空間あるいはテープとファンガイドとの空間）の面積を他の部分（テープが巻回されていない部分）よりも小さくすることになり、これによってテープ巻回部周辺を流れるファン風を小さくし、この反面、他の部分（テープが巻回されていない部分）に流れるファン風を多くすることができるため、部品点数を増やすことなく、コイルの冷却性能を向上させた電動工具を提供することができるようになる。
【発明を実施するための最良の形態】
【０００９】
以下、本発明電動工具の一実施形態を図１〜図５を用いて以下説明する。なお、図１は本発明電動工具である携帯用電気丸鋸の一実施形態を示す要部断面側面図、図２は図１の要部拡大図、図３はコイル４の円周方向巻線部４ａとハウジング３の関係を表す図２のＡ−Ａ線断面図、図４はコイル４の円周方向巻線部４ａとファンガイド７の関係を表す図２の要部断面平面図、図５は図１〜図４に記載のファンガイド７の一実施形態を示す斜視図である。
【００１０】
図に示す電動工具は、空気を吸入するための空気吸入口３ａと空気を排出するための空気排出口３ｂが形成されたハウジング３と、ハウジング３内に収容固定され、一対の対向するコイル巻回部１ａを備え、中空部１ｂが形成された固定子コア１と、コイル巻回部１ａに巻回される一対のコイル４と、中空部１ｂであって、一対のコイル４の間に回転可能に配置される回転子２と、ハウジング３内に設けられ、空気吸入口３ａからハウジング３内に空気を取入れ空気排出口に空気を吹出すファン６と、ファン６とコイル４との間に介在し、空気排出方向をガイドするファンガイド７とを備え、前記コイル４が、固定子コア１の軸方向両端部から外方に突出すると共に回転子２の円周方向に沿う略円弧状の一対の円周方向巻線部４ａとを有し、ファン６側の円周方向巻線部４ａには、振動や熱膨張による形状変形の抑制のためシート状で粘着性を持つテープ５が巻回された構成をしている。
【００１１】
固定子コア１の図示しないコイル巻回部１ａは回転子２の軸方向に延びる一対のスロットを有する構成をしており、コイル４を位置決め可能な形状をしている。
【００１２】
ファン６は遠心ファンが採用されており、半径方向に排出したファン風が空気排出口３ｂ側に排出されるように、ファンガイド７はファン６とコイル４との間に介在すると共にファン６外周を覆う形状をしている。なお、ファンガイド７は図示しないハウジング３に設けられた段差等によって回転子２の軸方向の位置決めがされている。
【００１３】
ファンガイド７には、図５に示すように突出部７ａが設けられており、この突出部７ａは外径がハウジング３内壁に沿う形状をし、コイル４のファン６側の円周方向巻線部４ａ外周に位置している。詳細には、図３に示すように円周方向巻線部４ａのほぼ中央部にはテープ５が巻回されており、このテープ５の外周に突出部７ａが位置している。すなわち、ファンガイド７には、テープ５に向かって突出し、ハウジング３内壁と円周方向巻線部４ａとの間に突出する突出部７ａが形成されている。
【００１４】
ファンガイド７は樹脂製部材からなり、型成形によって突出部７ａが一体的に形成されている。
【００１５】
図３及び図４に示すように、ファンガイド７の突出部７ａの回転子２の円周方向寸法（１４ｍｍ程度）は、テープ５の回転子２の円周方向寸法（１４ｍｍ〜１６ｍｍ程度）よりも小さく形成されている。
【００１６】
このような構成としたことにより、テープ５とハウジング３内壁との間の空間がファンガイド７の突出部７ａの存在によって小さくなり、テープ５外周を通るファン風はテープ５と突出部７ａとの間の空間を通ることとなる。このため、冷却効率が悪い部分であるテープ５巻回部周辺のファン通路であるテープ５と突出部７ａとの間の空間の面積が他の部分（テープ５が巻回されていない部分）よりも小さく、テープ５巻回部周辺を流れるファン風が従来に比べて小さくなり、この反面、他の部分（テープ５が巻回されていない部分）周辺に流れるファン風が従来に比べ多くなる。従って、部品点数を増やすくことなく、コイル４の冷却性能を向上させることができるようになる。
【００１７】
次に、本発明電動工具の他の実施形態を図６〜図８を用いて以下説明する。なお、上記実施形態と同様の部位には同一の符号を付し説明を省略する。
【００１８】
図に示す実施形態は、コイル４の円周方向巻線部４ａの形状を、半径方向に分割した形状とし両者間に軸方向に抜ける空間４ｂを形成したものである。このような構成とすることによって、円周方向巻線部４ａの冷却面積を大きくし、冷却性能を効率的に向上させることができるものである。
【００１９】
このような構成である場合にも、コイル４の円周方向巻線部４ａが振動や熱膨張によって形状が変形することを抑制するために、図８に示すように分割された円周方向巻線部４ａそれぞれにテープ５が巻回されている。
【００２０】
本実施形態では、ファンガイド７の突出部７ａが上側の円周方向巻線部４ａに巻回されるテープ５外周に位置しており、上記実施形態と同様に部品点数を増やすくことなく、コイル４の冷却性能を向上させることができるようになる。
【００２１】
図９に示す本発明電動工具の他の実施形態は、上記実施形態が携帯用電気丸鋸であるのに対して、図に示す実施形態は携帯用電気グラインダである点で相違するものであるが、図１〜図５に示す実施形態と同様にファンガイド７がハウジング３内壁と円周方向巻線部４ａに巻回されたテープ５との間に介在する突出部７ａを有するものであり、図１〜図５に示す実施形態と同様の作用効果を奏し得るものである。
【００２２】
図１０及び図１１に示す本発明電動工具の更に異なる実施形態は、上記実施形態のファンガイド７の突出部７ａの代わりにハウジング３内壁に円周方向巻線部４ａに巻回されたテープ５に向かって突出する突出部３ｃを設けた構成をしたものである。
【００２３】
このような構成であっても上記実施形態と同様に部品点数を増やすくことなく、コイル４の冷却性能を向上させることができるようになる。なお、ファン６を遠心ファンを用いて説明したが、軸流ファンとした場合にはファンガイド７が不要となるので、このような構成の場合に本実施形態は有用である。
【００２４】
本発明電動工具の更に異なる実施形態を図１２〜図１４を用いて説明する。なお、図１２は本発明電動工具の要部拡大断面図、図１３は図１２の要部断面平面図、図１４は図１２、図１３に記載のファンガイド７の一実施形態を示す斜視図であり、上記実施形態と同様の部位には同一の符号を付し説明を省略する。
【００２５】
上記実施形態ではハウジング３内壁と円周方向巻線部４ａに巻回されたテープ５との間のファン通路である空間の面積を他の部分よりも小さくするように突出部７ａ、３ｃを設けることによりコイル４の冷却性能を向上させるようにしたものであるが、本実施形態では、ファンガイド７と円周方向巻線部４ａとの間に介在し、テープ５に向かって突出する突出部７ｂをファンガイド７に設けた構成をしたものであり、図１２及び図１３に示すように突出部７ｂの先端部はコイル４の円周方向巻線部４ａのファン６側部分に近接している。
【００２６】
本実施形態を構成するファンガイド７は上記実施形態と同様に樹脂製部材からなり、型成形によって突出部７ａが一体的に形成されるものである。
【００２７】
図１３から明かなようにファンガイド７の突出部７ｂの回転子２の円周方向寸法は、テープ５の回転子２の円周方向寸法よりも小さく形成されている。
【００２８】
このような構成とすることによって、円周方向巻線部４ａとファンガイド７との間のファン風通路である空間を流れるファン風のテープ５巻回部周辺を流れる量が少なくなり、その反面他の部分（テープ５が巻回されていない部分）の周辺を流れる量が多くなる。このため、部品点数を増やさずにコイル４の冷却性能を効率的に向上させることができるようになる。
【００２９】
なお、上記した実施形態では、テープ５は粘着性を有する材料としたが、粘着性を有さないビニールテープ、布テープなどであっても良い。
【図面の簡単な説明】
【００３０】
【図１】本発明電動工具の一実施形態を示す要部縦断側面図。
【図２】図１の要部拡大図。
【図３】図２のＡ−Ａ線断面図。
【図４】図２の要部拡大平面図。
【図５】本発明電動工具を構成するファンガイドの一実施形態を示す斜視図。
【図６】本発明電動工具の他の実施形態を示す要部縦断側面図。
【図７】図６の要部拡大図。
【図８】図７のＡ−Ａ線断面図。
【図９】本発明電動工具の他の実施形態を示す要部縦断側面図。
【図１０】本発明電動工具の他の実施形態を示す要部拡大縦断側面図。
【図１１】図１０のＡ−Ａ線断面図。
【図１２】本発明電動工具の他の実施形態を示す要部拡大縦断側面図。
【図１３】図１２の要部拡大平面図。
【図１４】本発明電動工具を構成するファンガイドの他の実施形態を示す斜視図。
【図１５】従来の電動工具の一例を示す要部拡大縦断側面図。
【図１６】図１５のＡ−Ａ線断面図。
【図１７】図１５の要部拡大平面図。
【図１８】従来の電動工具に用いられるテープの一例を示す斜視図。
【図１９】従来の電動工具のテープの貼り付け状態を示す要部拡大図。
【図２０】従来の電動工具のテープの貼り付け後の状態を示す要部拡大図。
【符号の説明】
【００３１】
１は固定子コア、２は回転子、３はハウジング、３ａは空気吸入口、３ｂは空気排出口、３ｃは突出部、４はコイル、４ａは円周方向巻線部、４ｂは空間、５はテープ、６はファン、７はファンガイド、７ａ、７ｂは突出部である。
【図１】
2005230931.tif 000003
【図２】
2005230931.tif 000004
【図３】
2005230931.tif 000005
【図４】
2005230931.tif 000006
【図５】
2005230931.tif 000007
【図６】
2005230931.tif 000008
【図７】
2005230931.tif 000009
【図８】
2005230931.tif 000010
【図９】
2005230931.tif 000011
【図１０】
2005230931.tif 000012
【図１１】
2005230931.tif 000013
【図１２】
2005230931.tif 000014
【図１３】
2005230931.tif 000015
【図１４】
2005230931.tif 000016
【図１５】
2005230931.tif 000017
【図１６】
2005230931.tif 000018
【図１７】
2005230931.tif 000019
【図１８】
2005230931.tif 000020
【図１９】
2005230931.tif 000021
【図２０】
2005230931.tif 000022